(57)【特許請求の範囲】
【請求項１】
通信可能な範囲となるセルを具備し、該セルを識別可能となる区域情報を送信する無線アクセス装置と、
前記無線アクセス装置から区域情報を受信した場合、該区域情報を示す存在区域登録要求を自身の端末ＩＤとともに送信する移動体端末と、
前記移動体端末から送信された前記存在区域登録要求を受信すると該存在区域登録要求に示された区域情報と前記端末ＩＤとを対応づけて記憶しておき、前記移動体端末への呼び出し信号を受信した場合、該呼び出し信号に含まれている端末ＩＤに対応づけて記憶された区域情報によって識別されるセルを具備する無線アクセス装置へ呼び出し信号を送信する端末制御装置とを有し、
前記無線アクセス装置は、前記呼び出し信号を受信した場合、自身が具備するセルに前記呼び出し信号を送信する移動体通信システムにおいて、
前記移動体端末は、受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する移動体通信システム。
【請求項２】
請求項１に記載の移動体通信システムにおいて、
前記移動体端末は、該移動体端末が送信した最新の存在区域登録要求に示された区域情報である通知済み区域情報以外の同じ区域情報を連続して前記無線アクセス装置から受信した回数が予め決められた閾値以上となった場合に前記存在区域登録要求を送信する移動体通信システム。
【請求項３】
請求項１または請求項２に記載の移動体通信システムにおいて、
前記端末制御装置は、前記セルの位置関係を保持し、呼び出し対象となる移動体端末の端末ＩＤに対応づけて記憶された区域情報に基づいて該区域情報によって識別されるセルを具備する無線アクセス装置と、前記セルの周囲に位置するセルを具備する無線アクセス装置とに呼び出し信号を送信する移動体通信システム。
【請求項４】
請求項３に記載の移動体通信システムにおいて、
前記呼び出し対象となる移動体端末は、自身の端末ＩＤを含む呼び出し信号を前記無線アクセス装置から受信すると応答信号を前記端末制御装置へ送信し、
前記端末制御装置は、前記呼び出し信号を送信した無線アクセス装置が具備するセルを呼び出し対象の移動体端末の端末ＩＤと対応づけて呼び出し済みセルとして記憶しておき、前記呼び出し信号の送信後、予め決められた時間を経過しても前記呼び出し対象となる移動体端末から応答信号を受信しなかった場合、該移動体端末の端末ＩＤと対応づけて記憶されている前記呼び出し済みセルを具備する無線アクセス装置と、前記呼び出し済みセルの周辺に位置するセルを具備する無線アクセス装置とに呼び出し信号を送信する移動体通信システム。
【請求項５】
請求項４に記載の移動体通信システムにおいて、
前記端末制御装置は、呼び出し対象となる移動体端末への呼び出し回数を呼び出し対象の移動体端末の端末ＩＤと対応づけて記憶しておき、前記呼び出し信号の送信後、予め決められた時間を経過しても呼び出し対象となる移動体端末から前記応答信号を受信しなかった場合、該移動体端末の端末ＩＤと対応づけて記憶されている前記呼び出し回数が予め決められた閾値以上になるまで、前記呼び出し対象となる移動体端末の端末ＩＤと対応づけて記憶されている前記呼び出し済みセルを具備する無線アクセス装置と、前記呼び出し済みセルの周辺に位置するセルを具備する無線アクセス装置とに呼び出し信号を送信する移動体通信システム。
【請求項６】
通信可能な範囲となるセルを具備し、該セルを識別可能となる区域情報を送信する無線アクセス装置から区域情報を受信した場合、該区域情報を示す存在区域登録要求を自身の端末ＩＤとともに送信する移動体端末において、
受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する移動体端末。
【請求項７】
請求項６に記載の移動体端末において、
送信済みの存在区域登録要求のうち最新の存在区域登録要求に示された区域情報である通知済み区域情報以外の同じ区域情報を連続して前記無線アクセス装置から受信した回数が予め決められた閾値以上となった場合に前記存在区域登録要求を送信する移動体端末。
【請求項８】
通信可能な範囲となるセルを具備し、該セルを識別可能となる区域情報を送信する無線アクセス装置と、前記無線アクセス装置から区域情報を受信した場合、該区域情報を示す存在区域登録要求を自身の端末ＩＤとともに送信する移動体端末と、前記セルの位置関係を保持し、前記移動体端末から送信された前記存在区域登録要求を受信すると該存在区域登録要求に示された区域情報と端末ＩＤとを対応づけて記憶しておき、前記移動体端末への呼び出し信号を受信した場合、該呼び出し信号に含まれている端末ＩＤに対応づけて記憶された区域情報によって識別されるセルを具備する無線アクセス装置へ呼び出し信号を送信する端末制御装置とを有し、前記無線アクセス装置は、前記呼び出し信号を受信した場合、自身が具備するセルに前記呼び出し信号を送信し、前記移動体端末は、自身の端末ＩＤを含む呼び出し信号を前記無線アクセス装置から受信した場合、応答信号を前記端末制御装置へ送信する移動体通信システムにおける移動体通信方法であって、
前記移動体端末が、受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する処理を有する移動体通信方法。
【請求項９】
請求項８に記載の移動体通信方法において、
前記移動体端末が、該移動体端末が送信した最新の存在区域登録要求に示された区域情報である通知済み区域情報以外の同じ区域情報を連続して前記無線アクセス装置から受信した回数が予め決められた閾値以上となった場合に前記存在区域登録要求を送信する処理を有する移動体通信方法。
【請求項１０】
請求項８または請求項９に記載の移動体通信方法において、
前記端末制御装置が、呼び出し対象となる移動体端末の端末ＩＤに対応づけて記憶された区域情報に基づいて該区域情報によって識別されるセルを具備する無線アクセス装置と、前記セルの周辺に位置するセルを具備する無線アクセス装置とに呼び出し信号を送信する処理を有する移動体通信方法。
【請求項１１】
請求項１０に記載の移動体通信方法において、
前記端末制御装置が、前記呼び出し信号を送信した無線アクセス装置が具備するセルを呼び出し対象の移動体端末の端末ＩＤと対応づけて呼び出し済みセルとして記憶しておき、呼び出し信号の送信後、予め決められた時間を経過しても前記呼び出し対象となる移動体端末から前記応答信号を受信しなかった場合、該移動体端末の端末ＩＤと対応づけて記憶されている前記呼び出し済みセルを具備する無線アクセス装置と、前記呼び出し済みセルの周辺に位置するセルを具備する無線アクセス装置とに呼び出し信号を送信する処理を有する移動体通信方法。
【請求項１２】
請求項１１に記載の移動体通信方法において、
前記端末制御装置が、呼び出し対象となる移動体端末への呼び出し回数を呼び出し対象の移動体端末の端末ＩＤと対応づけて記憶しておき、前記呼び出し信号の送信後、予め決められた時間を経過しても呼び出し対象となる移動体端末から前記応答信号を受信しなかった場合、該移動体端末の端末ＩＤと対応づけて記憶されている前記呼び出し回数が予め決められた閾値以上になるまで、前記呼び出し対象となる移動体端末の端末ＩＤと対応づけて記憶されている前記呼び出し済みセルを具備する無線アクセス装置と、前記呼び出し済みセルの周辺に位置するセルを具備する無線アクセス装置とに呼び出し信号を送信する処理を有する移動体通信方法。
【請求項１３】
通信可能な範囲となるセルを具備し、該セルを識別可能となる区域情報を送信する無線アクセス装置から区域情報を受信した場合、該区域情報を示す存在区域登録要求を自身の端末ＩＤとともに送信する移動体端末に、
受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する機能を実現させるためのプログラム。
【請求項１４】
請求項１３に記載のプログラムにおいて、
送信済みの存在区域登録要求のうち最新の存在区域登録要求に示された区域情報である通知済み区域情報以外の同じ区域情報を連続して前記無線アクセス装置から受信した回数が予め決められた閾値以上となった場合に前記存在区域登録要求を送信する機能を実現させるためのプログラム。
【発明の詳細な説明】
【技術分野】
【０００１】
本発明は、通信可能な範囲が複数のセルに分けられた移動体通信システム、移動体端末、端末制御装置、移動体通信方法及びプログラムに関する。
【背景技術】
【０００２】
携帯電話に代表される移動体通信システムは、今日の情報化社会において欠かすことのできない情報伝達手段となっている。移動体通信システムでは、移動体端末の呼び出しを行うために、移動体端末の存在区域をネットワーク側で常に把握しておく必要がある。
【０００３】
移動体通信システムのネットワーク側で移動体端末の存在区域を把握する方法として、移動体端末が、自身の存在区域を認識し、その存在区域をネットワーク側へ通知し、ネットワーク側が、移動体端末から通知された存在区域を当該移動体端末の端末ＩＤと対応づけて登録しておく方法がとられている。
【０００４】
以下に、移動体端末から通知された存在区域をネットワーク側で登録する方法について説明する。
【０００５】
図１２は、移動体通信システムの一構成例を示す図である。
【０００６】
図１２に示した移動体通信システムは、端末制御装置４００と、複数のルーティング装置５００−１，５００−２と、複数の無線アクセス装置６００−１〜６００―５と、移動体端末２とで構成されている。端末制御装置４００、ルーティング装置５００―１，５００−２及び無線アクセス装置６００−１〜６００―５がネットワーク側の装置である。
【０００７】
無線アクセス装置は、自身から発信する信号が届くセルと呼ばれる範囲を有しており、そのセルに存在する移動体端末と信号の送受信ができる。
【０００８】
無線アクセス装置６００―１〜６００―５が有しているセルから構成され、存在区域を登録する単位となる範囲を存在区域登録エリアという。例えば、図１２に示した存在区域登録エリア２はセル２−１、セル２−２及びセル２−３から構成される。以下、存在区域登録エリアのことを単に、エリアということとする。
【０００９】
無線アクセス装置６００−１〜６００―５は、以下に示す機能を有している。
【００１０】
（１）：セル内に存在する移動体端末に対して区域情報を送信する。区域情報は、エリア単位にユニークな番号であり、例えば、図１２に示した無線アクセス装置６００−１及び無線アクセス装置６００−２の配下のセルは同じエリア“１”に属しているため、無線アクセス装置６００−１及び無線アクセス装置６００―２が移動体端末へ送信する区域情報は同じである。
【００１１】
（２）：セル内に存在する移動体端末から存在区域登録要求を受信し、受信した存在区域登録要求をルーティング装置５００−１または５００−２へ送信する。
【００１２】
（３）：ルーティング装置５００−１，５００―２から受信した呼び出し信号を自身のセル内に送信する。
【００１３】
ルーティング装置５００−１，５００―２は、移動体端末２から無線アクセス装置６００−１〜６００−５を介して受信した存在区域登録要求を端末制御装置４００へ送信する。また、端末制御装置４００から受信した呼び出し信号を対象の移動体端末が存在しているセルを有する無線アクセス装置へ送信する。
【００１４】
移動体端末２は、無線アクセス装置６００−１〜６００−５から送信された区域情報を受信し、自身が存在するエリアを認識している。また、無線アクセス装置から送信される区域情報が、自身が認識している区域情報から変わった場合、新たな存在区域をネットワーク側に登録してもらうための存在区域登録要求を無線アクセス装置へ送信する。
【００１５】
端末制御装置４００は、移動体端末２から送信される存在区域登録要求を無線アクセス装置６００−１〜６００−５及びルーティング装置５００−１，５００−２を介して受信し、エリアと移動体端末の端末ＩＤとを対応づけて管理している。また、管理情報に基づいて移動体端末に対する呼び出し信号の送信を行う。
【００１６】
図１２に示した移動体通信システムでは、エリア１にて無線アクセス装置６００−１または無線アクセス装置６００−２から区域情報“１”を受信していた移動体端末２がエリア２に移動している。移動体端末２は、エリア２への移動により無線アクセス装置６００−３から区域情報“２”を受信し、自身がこれまで存在していたエリアと異なるエリアに移動したことを認識する。これを契機として、存在区域登録要求を無線アクセス装置６００−３へ送信している。この存在区域登録要求には、移動体端末２の存在しているエリアがエリア２であることが示されている。
【００１７】
そして、無線アクセス装置６００−３及びルーティング装置５００−２を介して移動体端末から存在区域登録要求を受信した端末制御装置４００は、移動体端末２の存在区域をエリア１からエリア２へ更新する。
【００１８】
上述したような方法で、移動体通信システムでは、ネットワーク側で移動体端末の存在区域を常に把握することを可能としている。
【００１９】
図１３は、移動体通信システムのエリアとセルのイメージを示したものである。１つ１つの円がセルで、ａ〜ａｓはセル名を示している。また、複数のセルからエリアが構成されており、１〜６は、エリア名を示している。
【００２０】
図１３において、例えば、移動体端末がセルａｆからセルｇへ移動する場合、移動体端末は、エリアが変更となるセルz→セルs移動時と、セルｎ→セルg移動時とで存在区域登録要求を無線アクセス装置へ送信する。
【００２１】
ここで、端末制御装置に登録されている移動体端末の存在区域がエリア３の状態で当該移動体端末への呼び出しが発生した場合、端末制御装置は、エリア３に含まれるすべてのセルへ呼び出しを行う。
【００２２】
このように、上述した存在区域登録方法を用いた移動体通信システムでは、存在区域登録単位がエリア単位であることから、端末制御装置が移動体端末を呼び出す場合、エリア内の全てのセルに対して呼び出し信号を送信することとなる。この場合、呼び出し信号を送信する範囲が広いため、ネットワーク側の信号送信処理リソースを圧迫することがある。
【００２３】
この課題を解決するための技術が、例えば、特許文献１に開示されている。
【００２４】
この技術では、存在区域登録単位をセル単位とすることにより、端末制御装置が移動体端末を呼び出す場合、呼び出し対象の移動体端末が存在するセルに対してだけ呼び出し信号を送信することとなる。そのため、移動体端末呼び出し時における呼び出し信号送信処理リソースの圧迫を回避することができる。
【特許文献１】特表２００２−５０５０６３号公報
【発明の開示】
【発明が解決しようとする課題】
【００２５】
上述したように、特許文献１の技術を利用すれば、呼び出し信号を送信するための信号処理リソースの圧迫を回避することができる。
【００２６】
しかし、上述した特許文献１の技術では、移動体端末の存在区域の登録単位がエリアの範囲よりも狭い範囲であるセル単位になっていることから、移動体端末が存在区域の登録単位間を移動する頻度が多くなる。このような場合、移動体端末への呼び出しと当該移動体端末のセル間の移動とが競合すると、呼び出しを行ったセルに当該移動体端末が存在せず、移動体端末の呼び出しに失敗する確率が高くなるという問題点がある。
【００２７】
また、移動体端末からネットワーク側への存在区域登録要求の送信頻度が多くなり、ネットワーク側での存在区域登録のための処理負荷が増加するという問題点がある。
【００２８】
本発明は、ネットワーク側での存在区域登録のための処理負荷を増加させることなく、移動体端末呼び出しの失敗の確率を低減することができる移動体通信システム、移動体端末、端末制御装置、移動体通信方法及びプログラムを提供することを目的とする。
【課題を解決するための手段】
【００２９】
上記目的を達成するために本発明は、
通信可能な範囲となるセルを具備し、該セルを識別可能となる区域情報を送信する無線アクセス装置と、前記無線アクセス装置から区域情報を受信した場合、該区域情報を示す存在区域登録要求を自身の端末ＩＤとともに送信する移動体端末と、前記移動体端末から送信された前記存在区域登録要求を受信すると該存在区域登録要求に示された区域情報と前記端末ＩＤとを対応づけて記憶しておき、前記移動体端末への呼び出し信号を受信した場合、該呼び出し信号に含まれている端末ＩＤに対応づけて記憶された区域情報によって識別されるセルを具備する無線アクセス装置へ呼び出し信号を送信する端末制御装置とを有し、前記無線アクセス装置は、前記呼び出し信号を受信した場合、自身が具備するセルに前記呼び出し信号を送信する移動体通信システムにおいて、
前記移動体端末は、受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する。
【００３０】
また、通信可能な範囲となるセルを具備し、該セルを識別可能となる区域情報を送信する無線アクセス装置から区域情報を受信した場合、該区域情報を示す存在区域登録要求を自身の端末ＩＤとともに送信する移動体端末において、
受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する。
【００３２】
また、通信可能な範囲となるセルを具備し、該セルを識別可能となる区域情報を送信する無線アクセス装置と、前記無線アクセス装置から区域情報を受信した場合、該区域情報を示す存在区域登録要求を自身の端末ＩＤとともに送信する移動体端末と、前記セルの位置関係を保持し、前記移動体端末から送信された前記存在区域登録要求を受信すると該存在区域登録要求に示された区域情報と端末ＩＤとを対応づけて記憶しておき、前記移動体端末への呼び出し信号を受信した場合、該呼び出し信号に含まれている端末ＩＤに対応づけて記憶された区域情報によって識別されるセルを具備する無線アクセス装置へ呼び出し信号を送信する端末制御装置とを有し、前記無線アクセス装置は、前記呼び出し信号を受信した場合、自身が具備するセルに前記呼び出し信号を送信し、前記移動体端末は、自身の端末ＩＤを含む呼び出し信号を前記無線アクセス装置から受信した場合、応答信号を前記端末制御装置へ送信する移動体通信システムにおける移動体通信方法であって、
前記移動体端末が、受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する処理を有する。
【００３３】
また、通信可能な範囲となるセルを具備し、該セルを識別可能となる区域情報を送信する無線アクセス装置から区域情報を受信した場合、該区域情報を示す存在区域登録要求を自身の端末ＩＤとともに送信する移動体端末に、
受信した区域情報を記憶しておき、新たに受信した区域情報が既に記憶された区域情報と異なっていた場合、記憶された区域情報を更新するとともに、前記区域情報を更新した回数が予め決められた閾値以上となった場合に前記存在区域登録要求を送信する機能を実現させる。
【発明の効果】
【００３５】
本発明は以上説明したように構成されているので、ネットワーク側での存在区域登録のための処理負荷を増加させることなく、移動体端末呼び出しの失敗の確率を低減することができる。
【発明を実施するための最良の形態】
【００３６】
以下に、本発明の実施の形態について図面を参照して説明する。
【００３７】
まず、本発明の特徴の概要は、以下に示すとおりである。
【００３８】
（１）無線アクセス装置は、エリア毎ではなく、セル毎に固有の区域情報を送信する。
【００３９】
（２）移動体端末は、自身で自身のセル移動回数を管理しており、セルの移動の度に存在区域登録要求を送信するのではなく、あるセルにおいて存在区域登録要求を送信してから、セル移動回数が一定回数を超えた場合に存在区域登録要求を送信する。
【００４０】
（３）移動体端末は、存在区域登録を送信していないセルでの滞在時間が一定時間を越えた場合に存在区域登録要求を送信する。
【００４１】
（４）端末制御装置は、移動体端末を呼び出す際、当該移動体端末が存在区域登録されているセル及びその周辺のセルに対して優先的に呼び出しを行う。
【００４２】
図１は、本発明における、移動体通信システムのセルのイメージを示したものであり、本発明の特徴の概要を説明するための図である。
【００４３】
図１に示す、１つ１つの円がセルで、ａ〜ａｓはセル名を示している。
【００４４】
以下に、図1において、移動体端末が存在区域登録要求を送信する条件をセル移動回数が３回目になった時と定義した場合について説明する。
【００４５】
移動体端末がセルafにて存在区域登録要求を送信した後、セルaf→セルv→セルz→セルs→セルt→セルm→セルn→セルgと移動した場合、移動体端末は移動数が３となるセルzからセルsに移動したことを契機として存在区域登録要求(存在区域情報=s)を送信し、移動数が６となるmからnに移動したことを契機として存在区域登録要求(存在区域情報=n)を送信する。
【００４６】
その後、移動体端末がgに移動した後、一定時間が経過した契機で、存在区域登録要求(存在区域情報= g)を送信する。
【００４７】
ここで、例えば、移動体端末の存在区域情報が“ｇ”で端末制御装置に登録された状態で、当該移動体端末への呼び出しが発生した場合、端末制御装置は、まず、セルｇ及びセルｇの周辺セル（セルｆ，ｈ，ｎ，ｏ）に対して優先的に呼び出しを行う。そして、セルｇ及びセルｇの周辺セルに対する呼び出しに応答がなかった場合、呼び出し範囲を拡大していく。
【００４８】
図２は、本発明の移動体通信システムの実施の一形態を示す図である。
【００４９】
本形態の移動体通信システムは図２に示すように、移動体端末１と、端末制御装置１００と、複数のルーティング装置２００−１，２００−２と、複数の無線アクセス装置３００−１〜３００−５とを備えている。説明をわかりやすくするために、図２には移動体端末が１つだけ示されているが、この発明は、１つの移動体端末に限ったものではなく、複数の移動体端末にも適用できる。
【００５０】
図２に示す本発明の移動体通信システムは、図１２に示した移動体通信システムと構成装置は同じであるが、無線アクセス装置は、自身のセルに対して装置毎に固有の区域情報を送信する。
【００５１】
図３は、図２に示した移動体通信システムにおける移動体端末１の一構成例を示すブロック図である。
【００５２】
移動体端末１は図３に示すように、存在区域登録処理部１０と、他信号処理部２０と、信号送受信インタフェース３０とを備えている。
【００５３】
信号送受信インタフェース部３０は、無線アクセス装置との信号の送受信を仲介する。
【００５４】
存在区域登録処理部１０は、区域情報受信部１１と、制御信号受信部１２と、存在区域登録要求送信部１３とを備えている。また、存在区域登録処理部１０は、複数の記憶部からなる記憶部群１４を有しており、それぞれの記憶部には、区域情報受信部１１が無線アクセス装置へ存在区域登録要求を送信するタイミングを決定するための情報が記憶されている。
【００５５】
下表に記憶部群１４に含まれるそれぞれの記憶部の名称、その記憶部が記憶している情報及びその情報の定義を示す。
【００５６】
【表１】
0005251251.tif 000002
【００５７】
区域情報受信部１１は、無線アクセス装置から区域情報を受信すると、受信した区域情報と、記憶部群１４に記憶されている情報とから存在区域登録要求の送信要否を判断し、送信が必要と判断した場合に存在区域登録要求送信処理を起動する。無線アクセス装置から区域情報を受信した場合の詳細な動作については、後述する動作フローにて説明する。
【００５８】
制御信号受信部１２は、ネットワークから制御信号を受信し、閾値情報記憶部１４ｅに記憶されている閾値の更新を行う。
【００５９】
存在区域登録要求送信部１３は、区域情報受信部１１からの指示により、存在区域登録要求の送信を行う。
【００６０】
無線アクセス装置は、以下の機能を有している。
【００６１】
（１）：セル内に存在する移動体端末に対して区域情報を送信する。
【００６２】
（２）：セル内に存在する移動体端末から存在区域登録要求を受信し、受信した存在区域登録要求をルーティング装置へ送信する。
【００６３】
（３）：ルーティング装置から受信した呼び出し信号をセル内に送信する。
【００６４】
ルーティング装置は、移動体端末から無線アクセス装置を介して受信した存在区域登録要求を端末制御装置へ送信する。また、端末制御装置から受信した呼び出し信号を対象の移動体端末が存在しているセルを有する無線アクセス装置へ送信する。
【００６５】
端末制御装置１００の詳細については、後述する。
【００６６】
以下に、上記のように構成された移動体通信システムにおいて、移動体端末１が無線アクセス装置から区域情報を受信した場合に行う存在区域登録要求の送信の動作について説明する。
【００６７】
図４は、図３に示した移動体端末１の動作を説明するためのフローチャートであり、移動体端末１が存在区域登録要求を送信する場合の動作を示している。
【００６８】
まず、移動体端末１の区域情報受信部１１は、信号送受信インタフェース３０を介して無線アクセス装置から区域情報を受信する。
【００６９】
次に、区域情報受信部１１は、最新区域情報記憶部１４ｂに記憶されている区域情報を取得し、取得した区域情報を前回区域情報記憶部１４ａに記憶させるとともに、無線アクセス装置から今回受信した区域情報を最新区域情報記憶部１４ｂに記憶させる（ステップ１〜２）。以下、無線アクセス装置から今回受信した区域情報を最新区域情報ということとする。
【００７０】
次に、区域情報受信部１１は、前回区域情報記憶部１４ａに記憶されている区域情報を取得し、最新区域情報と前回区域情報記憶部１４ａから取得した区域情報との比較を行う（ステップ３）。
【００７１】
最新区域情報と前回区域情報記憶部１４ａから取得した区域情報とを比較した結果、前回区域情報記憶部１４ａから取得した区域情報と、最新区域情報とが一致している場合、区域情報受信部１１は、区域情報を前回受信した時点から区域情報を今回受信するまでの間に、セル間の移動はなかったと判断する。
【００７２】
この場合、通知済み区域情報記憶部１４ｃから通知済み区域情報を取得し、取得した通知済み区域情報と最新区域情報とを比較する（ステップ４）。それらが一致する場合は、存在区域登録要求の送信を行わずに処理を終了する。
【００７３】
一方、通知済み区域情報記憶部１４ｃから取得した通知済み区域情報と、最新区域情報とが一致しない場合、区域情報受信部１１は、カウンタ値記憶部１４ｄの連続未通知回数をインクリメントし（ステップ５）、その回数を確認する（ステップ６）。
【００７４】
連続未通知回数を確認した結果、連続未通知回数が予め決められた閾値以上であった場合、区域情報受信部１１は、無線アクセス装置への存在区域登録要求の送信を存在区域登録要求送信部１３に指示する（ステップ７）。このとき、存在区域登録要求の送信の指示とともに、最新区域情報も併せて送信する。
【００７５】
一方、連続未通知回数が予め決められた閾値未満であった場合、存在区域登録要求の送信の指示を行わずに処理を終了する。
【００７６】
次に、区域情報受信部１１は、最新区域情報を通知済み区域情報として通知済み区域情報記憶部１４ｃに記憶させる（ステップ８）。また、カウンタ値記憶部１４ｄの区域情報更新回数及び連続未通知回数を初期化する（ステップ９〜１０）
一方、ステップ３における比較の結果、前回区域情報記憶部１４ａから取得した区域情報と、最新区域情報とが一致していなかった場合、区域情報受信部１１は、区域情報を前回受信した時点から区域情報を今回受信するまでの間に、セル間の移動があったと判断する。この場合、区域情報受信部１１は、まず、カウンタ値記憶部１４ｄの連続未通知回数を初期化する（ステップ１１）。そして、カウンタ値記憶部１４ｄの区域情報更新回数をインクリメントし（ステップ１２）、その回数を確認する（ステップ１３）。
【００７７】
区域情報更新回数を確認した結果、区域情報更新回数が予め決められた閾値以上であった場合、区域情報受信部１１は、無線アクセス装置への存在区域登録要求の送信を存在区域登録要求送信部１３に指示する（ステップ１４）。このとき、存在区域登録要求の送信の指示とともに、最新区域情報も併せて送信する。
【００７８】
次に、区域情報受信部１１は、最新区域情報を通知済み区域情報として通知済み区域情報記憶部１４ｃに記憶させる（ステップ１５）。また、カウンタ値記憶部１４ｄの区域情報更新回数を初期化する（ステップ１６）。
【００７９】
一方、ステップ１３における確認の結果、区域情報更新回数が予め決められた閾値未満であった場合、区域情報受信部１１は、存在区域登録要求の送信の指示を行わずに処理を終了する。
【００８０】
区域情報受信部１１から存在区域登録要求の送信の指示を受けた存在区域登録要求送信部１３は、最新区域情報を無線アクセス装置へ送信する。
【００８１】
ここで、上述した移動体端末１の存在区域登録要求の送信動作フローでは、区域情報更新回数に閾値を設け、存在区域登録要求を送信するかどうかの判断に区域情報更新回数を使用していた。しかし、この方法では、移動体端末１が特定の２セル間を行き来するようなケースや複数の無線アクセス装置から区域情報を受信するようなケースにおいて存在区域登録要求の送信が抑制できないことがある。これは、区域情報受信部１１が区域情報更新回数をカウントするかどうかの判断を、前回受信した区域情報と今回受信した区域情報との比較によって行っているからである。
【００８２】
そこで、他の方法として、移動体端末１が無線アクセス装置から受信した区域情報の履歴を記憶し、履歴を記憶した回数を履歴登録数としてカウントし、履歴登録数が予め決められた区域情報更新回数の閾値以上になった場合、存在区域登録要求を送信する方法がある。
【００８３】
この方法では、受信した区域情報が既に記憶されている区域情報のいずれかと一致している場合、移動体端末１は、その受信した区域情報を記憶せず、履歴登録数としてカウントしない。よって、移動体端末１が特定の２セル間を行き来するようなケースや複数の無線アクセス装置から区域情報を受信するようなケースにおいては、区域情報を受信しても、その区域情報が履歴にあるため、履歴登録数としてカウントせず、移動体端末１が存在区域登録要求を送信することを抑制することができる。
【００８４】
図５は、図２に示した移動体通信システムにおける移動体端末１の他の構成例を示すブロック図である。
【００８５】
この構成では、存在区域登録処理部１０は、上述した構成における前回区域情報記憶部１４ａの代わりに、区域情報履歴記憶部１４ｆを有している。また、カウンタ値記憶部１４ｄにて、履歴登録数を記憶している。
【００８６】
区域情報履歴記憶部１４ｆは、区域情報受信部１１が無線アクセス装置から受信した区域情報を蓄積している。
【００８７】
区域情報受信部１１は、無線アクセス装置から受信した区域情報を区域情報履歴記憶部１４ｆに記憶する場合、その受信した区域情報と既に記憶されている区域情報とを比較し、受信した区域情報が既に区域情報履歴記憶部１４ｆに存在しているときは、その無線アクセス装置から受信した区域情報を記憶しない。
【００８８】
一方、無線アクセス装置から受信した区域情報が区域情報履歴記憶部１４ｆに記憶されていない場合、区域情報受信部１１は、その無線アクセス装置から受信した区域情報を区域情報履歴記憶部１４ｆに記憶し、カウンタ値記憶部１４ｄの履歴登録数をインクリメントする。
【００８９】
以下に、上記のように構成された移動体通信システムにおいて、移動体端末１が履歴登録数を存在区域登録要求の送信の判断に利用する場合の動作について説明する。
【００９０】
図６は、図５に示した移動体端末１の動作を説明するためのフローチャートであり、移動体端末１が存在区域登録要求を送信する場合の動作を示している。
【００９１】
まず、移動体端末１の区域情報受信部１１は、信号送受信インタフェース３０を介して無線アクセス装置から区域情報を受信する。
【００９２】
次に、区域情報受信部１１は、無線アクセス装置から受信した区域情報を最新区域情報として最新区域情報記憶部１４ｂに記憶する（ステップ５１）。
【００９３】
そして、区域情報受信部１１は、無線アクセス装置から受信した最新区域情報を区域情報履歴記憶部１４ｆから検索し（ステップ５２）、最新区域情報が区域情報履歴記憶部１４ｆに存在しているかどうか確認する（ステップ５３）。
【００９４】
最新区域情報が区域情報履歴記憶部１４ｆに存在しているかどうかを確認した結果、区域情報履歴記憶部１４ｆに最新区域情報が存在した場合、区域情報受信部１１は、通知済み区域情報記憶部１４ｃから通知済み区域情報を取得し、取得した通知済み区域情報と最新区域情報とを比較する（ステップ５４）。
【００９５】
取得した通知済み区域情報と最新区域情報とを比較した結果、それらが一致する場合は、カウンタ値記憶部１４ｄの連続未通知回数を初期化し（ステップ５５）、存在区域登録要求の送信の指示を行わずに処理を終了する。
【００９６】
一方、ステップ５４において、取得した通知済み区域情報と最新区域情報とを比較した結果、通知済み区域情報記憶部１４ｃから取得した通知済み区域情報と、最新区域情報とが一致しない場合、区域情報受信部１１は、カウンタ値記憶部１４ｄの連続未通知回数をインクリメントし（ステップ５６）、その回数を確認する（ステップ５７）。
【００９７】
連続未通知回数を確認した結果、連続未通知回数が予め決められた閾値以上であった場合、区域情報受信部１１は、無線アクセス装置への存在区域登録要求の送信を存在区域登録要求送信部１３に指示する（ステップ５８）。このとき、存在区域登録要求の送信の指示とともに、最新区域情報も併せて送信する。
【００９８】
次に、区域情報受信部１１は、最新区域情報を通知済み区域情報として通知済み区域情報記憶部１４ｃに記憶させる（ステップ５９）。そして、区域情報履歴記憶部１４ｆに記憶されている区域情報履歴と、カウンタ値記憶部１４ｄの履歴登録数とを初期化する（ステップ６０〜６１）。また、カウンタ値記憶部１４ｄの連続未通知回数を初期化する（ステップ６２）。
【００９９】
一方、ステップ５３にて最新区域情報が区域情報履歴記憶部１４ｆに存在しているか確認した結果、区域情報履歴記憶部１４ｆに最新区域情報が存在しなかった場合、区域情報受信部１１は、最新区域情報を区域情報履歴記憶部１４ｆに登録し（ステップ６３）、カウンタ値記憶部１４ｄの履歴登録数をインクリメントする（ステップ６４）。
【０１００】
次に、カウンタ値記憶部１４ｄの連続未通知回数を初期化する（ステップ６５）。
【０１０１】
そして、区域情報受信部１１は、カウンタ値記憶部１４ｄの履歴登録数と予め決められた区域情報更新回数の閾値とを比較する（ステップ６６）。
【０１０２】
カウンタ値記憶部１４ｄの履歴登録数と予め決められた区域情報更新回数の閾値とを比較した結果、履歴登録数が予め決められた区域情報更新回数の閾値以上であった場合、区域情報受信部１１は、無線アクセス装置への存在区域登録要求の送信を存在区域登録要求送信部１３に指示する（ステップ６７）。このとき、存在区域登録要求の送信の指示とともに、最新区域情報も併せて送信する。
【０１０３】
次に、区域情報受信部１１は、最新区域情報を通知済み区域情報として通知済み区域情報記憶部１４ｃに記憶させる（ステップ６８）。そして、区域情報履歴記憶部１４ｆに記憶されている区域情報履歴と、カウンタ値記憶部１４ｄの履歴登録数とを初期化する（ステップ６９〜７０）。
【０１０４】
区域情報受信部１１から存在区域登録要求の送信の指示を受けた存在区域登録要求送信部１３は、最新区域情報を無線アクセス装置へ送信する。
【０１０５】
このように、上述した２つの方法において、移動体端末は、無線アクセス装置から受信した区域情報と、自身が記憶している存在区域情報とが異なっても、すぐには存在区域登録要求を無線アクセス装置へ送信しない。このことにより、移動体端末からの存在区域登録要求の送信を抑制することができ、移動体通信システムのネットワーク側において、移動体端末の存在区域登録のための処理負荷を軽減することができる。
【０１０６】
次に、図２に示した端末制御装置１００の構成について説明する。
【０１０７】
図７は、図２に示した移動体通信システムにおける端末制御装置１００の一構成例を示すブロック図である。
【０１０８】
端末制御装置１００は図７に示すように、存在区域登録・呼び出し処理部１１０と、信号送受信インタフェース１２０とを備えている。
【０１０９】
存在区域登録・呼び出し処理部１１０は、呼び出し信号受信部１１１と、呼び出し信号送信部１１２と、呼び出し応答受信部１１３と、存在区域登録要求受信部１１４と、呼び出し応答待ちタイマ部１１５と、呼び出し先セル情報記憶部１１６と、端末区域情報記憶部１１７と、セル相関記憶部１１８とを備えている。
【０１１０】
呼び出し信号受信部１１１は、移動体端末からの呼び出し信号を受信し、呼び出し信号送信部１１２に対し、呼び出し信号を送信する処理を起動するように要請する。以下、呼び出し信号を送信する処理を呼び出し信号送信処理ということとする。なお、移動体端末からの呼び出し信号には、呼び出し対象となる移動体端末を識別するための端末ＩＤが含まれている。呼び出し信号受信部１１１は、呼び出し信号送信部１１２に対して呼び出し信号処理の起動を要請する時に、受信した端末ＩＤを呼び出し信号送信部１１２へ送信する。
【０１１１】
呼び出し信号送信部１１２は、呼び出し対象となる移動体端末の存在区域情報、セル相関関係、呼び出し先セル情報から、呼び出し信号を送信するセルを決定し、そのセルを有する無線アクセス装置への呼び出し信号の送信、応答待ちタイマの起動及び呼び出し先セルの情報更新を行う。また、移動体端末側に設定されている区域情報更新回数の閾値を記憶しており、呼び出し対象の移動体端末への呼び出し回数を決定する。呼び出し信号送信部１１２の動作の詳細については、後述する動作フローにて説明する。
【０１１２】
呼び出し応答受信部１１３は、呼び出し対象の移動体端末からの呼び出し信号の応答を受信すると、呼び出し応答待ちタイマ部１１５へタイマの停止を指示するとともに、呼び出し先セル情報記憶部１１６の呼び出し先セルの情報を初期化する。
【０１１３】
存在区域登録要求受信部１１４は、移動体端末からの存在区域登録要求を受信し、端末区域情報記憶部１１７に記憶されている当該移動体端末の存在区域情報（存在しているセル名）の更新を行う。
【０１１４】
呼出応答待ちタイマ部１１５は、呼び出し信号送信部１１２からの指示でタイマを起動する。また、呼び出し応答受信部１１３からのタイマ停止の指示を待ち受け、設定された時間内にタイマ停止の指示を受けなかった場合、呼び出し信号送信部１１２に対し、呼び出し信号送信処理の起動を要請する。その際、呼出応答待ちタイマ部１１５は、タイマ停止の指示を受けなかった呼び出しに対応する移動体端末の端末ＩＤを呼び出し信号送信部１１２へ送信する。
【０１１５】
呼び出し先セル情報記憶部１１６は、呼び出し対象となる移動体端末の端末ＩＤと、呼び出しを行ったセルと、呼び出しを行った回数とを対応づけて記憶する。これらは、呼び出し先セル情報テーブルに記憶される。呼び出し先セル情報テーブルについては、後述する動作フローで説明する。
【０１１６】
端末区域情報記憶部１１７は、存在区域登録要求受信部１１４からの通知により、端末ＩＤ毎に、存在区域情報を記憶する。
【０１１７】
セル相関記憶部１１８は、各セルの相関関係を示すセル相関テーブルを有している。
【０１１８】
セル相関テーブルについては、後述する動作フローで説明する。
【０１１９】
以下に、上記のように構成された移動体通信システムにおいて、端末制御装置１００の動作について説明する。
【０１２０】
図８は、図２に示した端末制御装置１００の動作を説明するためのフローチャートであり、呼び出し信号送信処理が起動された場合の呼び出し信号送信部１１２の動作を示している。
【０１２１】
呼び出し信号送信処理は、呼び出し信号受信部１１１が呼び出し信号を受信した場合、または、呼び出し信号応答待ちタイマ部１１５がタイマ満了を検知した場合に、呼び出し信号受信部１１１または呼び出し信号応答待ちタイマ部１１５から呼び出し信号送信部１１２へ起動を要請することにより起動される。
【０１２２】
呼び出し信号送信部１１２は、まず、呼び出し信号送信処理の起動の要請が呼び出し信号受信部１１１からの要請なのか、呼び出し応答待ちタイマ部１１５からの要請なのかを判断する（ステップ１０１）。
【０１２３】
呼び出し信号送信処理の起動の要請が呼び出し信号受信部１１１からの要請であった場合、呼び出し信号送信部１１２は、起動の要請とともに呼び出し信号受信部１１１から送信された呼び出し対象の移動体端末の端末ＩＤを受信する。
【０１２４】
呼び出し信号受信部１１１から送信された端末ＩＤを受信した呼び出し信号送信部１１２は、受信した端末ＩＤに対応づけられて端末区域記憶部１１７に記憶されている呼び出し対象となる移動体端末が存在しているセル名を取得する（ステップ１０２）。
【０１２５】
次に、呼び出し信号送信部１１２は、セル相関記憶部１１８のセル相関テーブルを検索し、呼び出し対象の移動体端末が存在しているセル名から、隣接するセル名を取得する。
【０１２６】
図９は、図７に示したセル相関記憶部１１８が有しているセル相関テーブル１１８ａの一構成例を示す図である。
【０１２７】
図７に示したセル相関記憶部１１８が有しているセル相関テーブル１１８ａは図９に示すように、セル名カラム１１８ｂと、隣接セル名カラム１１８ｃとを有しており、セル名カラム１１８ｂに書き込まれているセルに隣接しているセルが隣接セル名カラム１１８ｃに書き込まれている。
【０１２８】
例えば、ステップ１０２で取得したセル名が“a”であった場合、呼び出し信号送信部１１２が取得するセル名は“ｂ”及び“ｉ”となる。
【０１２９】
次に、呼び出し信号送信部１１２は、端末区域情報記憶部１１７から取得した呼び出し対象の移動体端末が存在しているセルを有する無線アクセス装置と、セル相関テーブル１１８ａから取得した呼び出し対象の移動体端末が存在しているセルに隣接するセルを有する無線アクセス装置とに対して呼び出し信号の送信を行う（ステップ１０３）。
【０１３０】
そして、ステップ１０３にて呼び出し信号を送信したセル名を呼び出し対象の移動体端末の端末ＩＤと対応づけて呼び出し先セル情報記憶部１１６に記憶する（ステップ１０４）。
【０１３１】
図１０は、図７に示した呼び出し先セル情報記憶部１１６が有している呼び出し先セル情報テーブル１１６ａの一構成例を示す図である。
【０１３２】
図７に示した呼び出し先セル情報記憶部１１６が有している呼び出し先セル情報テーブル１１６ａは、端末ＩＤカラム１１６ｂと、呼び出し回数カラム１１６ｃと、呼び出し先セル名カラム１１６ｄとを有している。
【０１３３】
呼び出し信号送信部１１２は、呼び出し信号受信部１１１が受信した呼び出しに対し、呼び出し対象となっている移動体端末に呼び出しを行った回数を呼び出し対象の移動体端末の端末ＩＤと、呼び出し先セルとに対応づけて呼び出し先セル情報テーブル１１６ａに格納する。
【０１３４】
例えば、ステップ１０３にて呼び出し信号の送信を行ったセルがセルａ，セルｂ及びセルｉであった場合、呼び出し対象の移動体端末の端末ＩＤを１１１１すると、端末ＩＤカラム１１６ｂに“１１１１”を格納し、呼び出し回数カラム１１６ｃには第１回目の呼び出しであるので“１”を格納し、呼び出し先セル名カラム１１６ｄには“ａ”，“ｂ”及び“ｉ”を格納する。
【０１３５】
次に、呼び出し応答待ちタイマ部１１５の呼び出し応答待ちタイマを呼び出し対象の移動体端末のＩＤと対応づけて起動する（ステップ１０５）。
【０１３６】
一方、ステップ１０１において、呼び出し信号送信処理の起動の要請が呼び出し応答待ちタイマ部１１５からの要請であった場合、呼び出し信号送信部１１２は、起動の要請とともに呼び出し応答待ちタイマ部１１５から送信された呼び出し対象の移動体端末の端末ＩＤを受信し、呼び出し先セル情報記憶部１１６からその端末ＩＤに対応する前回呼び出したセルの情報を取得し（ステップ１０６）、呼び出し対象の移動体端末が存在し得る全セルへの呼び出しを実施済みかどうかを確認する（ステップ１０７）。
【０１３７】
ここで、呼び出し対象となっている移動体端末が存在しうる全セルへの呼び出しを実施済みかどうかの判断は、移動体端末側に設定されている区域情報更新回数の閾値を利用して実施する。
【０１３８】
例えば、移動体端末側に設定される区域情報更新回数の閾値が５に設定されている場合、ネットワーク側で移動体端末から区域登録要求を受信している区域と実際に移動体端末が存在する区域との間に最大５セル分の距離が存在するため、５セル分の範囲に対して呼び出し信号の送信を実施した時点で、呼び出し信号送信部１１２は、移動体端末が存在しうる全セルへの呼び出しを実施済みと判断する。ここで、ステップ１０３において、隣接するセルへも呼び出し信号を送信しており、すでに２セル分の範囲に対して呼び出しを行っているので、区域情報更新回数の閾値が５に設定されている場合はあと３回呼び出し信号送信処理を行うこととなる。
【０１３９】
具体的には、ステップ１０７において、呼び出し信号送信部１１２は、呼び出し先セル情報テーブル１１６ａの端末ＩＤカラム１１６ｂから、呼び出し応答待ちタイマ部１１５から送信された端末ＩＤに対応する呼び出し回数カラム１１６ｃの値を確認する。
【０１４０】
呼び出し回数カラム１１６ｃの値を確認した結果、呼び出し回数カラム１１６ｃの値が自身が記憶している区域情報更新回数の閾値から１を引いた値未満であった場合、呼び出し信号送信部１１２は、ステップ１０６にて取得したセル名から、セル相関テーブル１１８ａの隣接セル名カラム１１８ｃを検索し、前回呼び出しを行ったセルに隣接するセルのセル名を取得する。
【０１４１】
次に、呼び出し信号送信部１１２は、前回呼び出しを行ったセルを持つ無線アクセス装置と、セル相関テーブル１１８ａから取得したセルを有する無線アクセス装置とに対して呼び出し信号の送信を行う（ステップ１０８）。そして、呼び出し信号を送信したセル名を呼び出し対象となる移動体端末の端末ＩＤと対応づけて呼び出し先セル情報記憶部１１６に記憶し（ステップ１０９）、呼び出し応答待ちタイマ部１１５の呼び出し応答待ちタイマを呼び出し対象の移動体端末の端末ＩＤと対応づけて起動する（ステップ１１０）。
【０１４２】
上述したステップ１０１及びステップ１０６〜１１０の処理が、呼び出し応答待ちタイマ部１１５からの起動要請で繰り返される。
【０１４３】
一方、ステップ１０７において呼び出し対象の移動体端末が存在し得る全セルへの呼び出しを実施済みかどうかを確認した結果、呼び出し回数カラム１１６ｃの値が自身が記憶している区域情報更新回数の閾値から１を引いた値以上であった場合、呼び出し信号送信部１１２は、呼び出し対象の端末が電源ＯＦＦの状態または圏外に存在するものと判断する。そして、呼び出し先セル情報記憶部１１６に記憶されている当該呼び出し対象の移動体端末の呼び出し先セル情報テーブル１１６ａの情報を初期化して処理を終了する（ステップ１１１）。
【０１４４】
この繰り返し動作の間に、呼び出し応答受信部１１３が呼び出し対象の移動体端末から呼び出し応答を受信すると、呼び出し応答受信部１１３は、呼び出し応答待ちタイマ部１１５に対し、タイマの停止を指示し、呼び出し先セル情報記憶部１１６に記憶されている呼び出し対象の移動体端末の呼び出し先情報を初期化して処理が終了する。
【０１４５】
このように本形態では、端末制御装置にて、セルよりも広い範囲で移動体端末の呼び出しを行っているため、移動体端末への呼び出しと当該移動体端末のセルの移動が競合する場合でも移動体端末呼び出しの失敗の確率を低減することができる。
【０１４６】
なお、セルの大きさや形状は、セル構成により異なる場合があるため、移動体端末の移動距離と存在区域登録変更回数とが比例しないケースが存在しうる。そのようなケースへの対応として、必ずしも無線アクセス装置が送信する区域情報をセル単位でユニークとするのではなく、セルの構成に合わせて複数のセルへ同一区域情報を送信する方法がある。
【０１４７】
図１１は、セルの大きさや形状に応じた、区域情報の送信単位の設定方法の一例を示す図である。図１１に示した例では、各セルの大きさや形状が異なるため、区域情報Ａを送信する領域を３セル分、区域情報Ｂを送信する領域を５セル分とすることにより、区域情報送信範囲の大きさのばらつきを軽減している。同一区域情報送信範囲を大きくしすぎると、本発明の効果が薄れるため、同一区域情報送信範囲は極力小さくすることが望ましい。
【０１４８】
また、移動体端末での区域情報の受信処理は常時動作ではなく、周期起動とする方法も考えられる。具体的には、「区域情報受付開始→区域情報受信処理→一定時間区域情報受付停止」を繰り返す。また、区域情報受付開始後、区域情報を受信するまでは、受付開始状態を継続し、受信処理終了後に一定時間受け付けを停止するようにしてもよい。
【０１４９】
また、本発明においては、移動体端末内または端末制御装置内の処理は上述の専用のハードウェアにより実現されるもの以外に、その機能を実現するためのプログラムを移動体端末または端末制御装置にて読取可能な記録媒体に記録し、この記録媒体に記録されたプログラムを移動体端末または端末制御装置に読み込ませ、実行するものであっても良い。移動体端末または端末制御装置にて読取可能な記録媒体とは、フロッピーディスク、光磁気ディスク、ＤＶＤ、ＣＤなどの移設可能な記録媒体の他、移動体端末または端末制御装置に内蔵されたＨＤＤなどを指す。
【図面の簡単な説明】
【０１５０】
【図１】本発明における、移動体通信システムのセルのイメージを示したものであり、本発明の特徴の概要を説明するための図である。
【図２】本発明の移動体通信システムの実施の一形態を示す図である。
【図３】図２に示した移動体通信システムにおける移動体端末の一構成例を示すブロック図である。
【図４】図３に示した移動体端末の動作を説明するためのフローチャートであり、移動体端末が存在区域登録要求を送信する場合の動作を示している。
【図５】図２に示した移動体通信システムにおける移動体端末の他の構成例を示すブロック図である。
【図６】図５に示した移動体端末の動作を説明するためのフローチャートであり、移動体端末が存在区域登録要求を送信する場合の動作を示している。
【図７】図２に示した移動体通信システムにおける端末制御装置の一構成例を示すブロック図である。
【図８】図２に示した端末制御装置の動作を説明するためのフローチャートであり、呼び出し信号送信処理が起動された場合の呼び出し信号送信部の動作を示している。
【図９】図７に示したセル相関記憶部が有しているセル相関テーブルの一構成例を示す図である。
【図１０】図７に示した呼び出し先セル情報記憶部が有している呼び出し先セル情報テーブルの一構成例を示す図である。
【図１１】セルの大きさや形状に応じた、区域情報の送信単位の設定方法の一例を示す図である。
【図１２】移動体通信システムの一構成例を示す図である。
【図１３】移動体通信システムのエリアとセルのイメージを示したものである。
【符号の説明】
【０１５１】
１，２    移動体端末
１０    存在区域登録処理部
１１    区域情報受信部
１２    制御信号受信部
１３    存在区域登録要求送信部
１４    記憶部群
１４ａ    前回区域情報記憶部
１４ｂ    最新区域情報記憶部
１４ｃ    通知済み区域情報記憶部
１４ｄ    カウンタ値記憶部
１４ｅ    閾値情報記憶部
１４ｆ    区域情報履歴記憶部
２０  他信号処理部
３０  信号送受信インタフェース
１００，４００    端末制御装置
１１０    存在区域登録・呼び出し処理部
１１１    呼び出し信号受信部
１１２    呼び出し信号送信部
１１３    呼び出し応答受信部
１１４    存在区域登録要求受信部
１１５    呼び出し応答待ちタイマ部
１１６    呼び出し先セル情報記憶部
１１６ａ    呼び出し先セル情報テーブル
１１６ｂ    端末ＩＤ
１１６ｃ    呼び出し回数
１１６ｄ    呼び出し先セル名
１１７    端末区域情報記憶部
１１８    セル相関記憶部
１１８ａ    セル相関テーブル
１１８ｂ    セル名カラム
１１８ｃ    隣接セル名カラム
２００−１〜２００−２，５００−１〜５００−２    ルーティング装置
３００−１〜３００−５，６００−１〜６００−５    無線アクセス装置
【図１】
0005251251.tif 000003
【図２】
0005251251.tif 000004
【図３】
0005251251.tif 000005
【図４】
0005251251.tif 000006
【図５】
0005251251.tif 000007
【図６】
0005251251.tif 000008
【図７】
0005251251.tif 000009
【図８】
0005251251.tif 000010
【図９】
0005251251.tif 000011
【図１０】
0005251251.tif 000012
【図１１】
0005251251.tif 000013
【図１２】
0005251251.tif 000014
【図１３】
0005251251.tif 000015